(57)【要約】【課題】  遊技機を何度も別の遊技機島に移しかえても、正確かつ迅速に遊技機の外枠を島枠に取り付けることができる遊技機の取付け構造を提供する。【解決手段】  島枠１０の上部及び下部にそれぞれ固定した島枠側連結部材３２，３６と、外枠６の上部及び下部にそれぞれ固定し、島枠の上部及び下部の島枠側連結部材に前後方向に移動自在に係合している外枠側連結部材３０，３４と、傾斜姿勢としている外枠の前後方向の位置に応じた傾斜角度を表示する目盛り部と、互いに係合している外枠側連結部材及び島枠側連結部材を着脱自在に連結する連結手段４０，５０とを備えた遊技機の取付け構造である。【選択図】        図２
2006149655.tif 000002
【特許請求の範囲】
【請求項１】
遊技機島の島枠内に配置した遊技機の外枠を、所定の傾斜角度を付けた後傾姿勢となるように前記外枠の上部及び下部の前後方向の位置を設定して前記島枠に取付ける遊技機の取付け構造であって、
前記島枠の上部及び下部にそれぞれ固定した島枠側連結部材と、前記外枠の上部及び下部にそれぞれ固定し、前記島枠の上部及び下部の前記島枠側連結部材に前後方向に移動自在に係合している外枠側連結部材と、互いに係合している前記外枠側連結部材及び前記島枠側連結部材に設けられており、傾斜姿勢としている前記外枠の前後方向の位置に応じた傾斜角度を表示する目盛り部と、互いに係合している前記外枠側連結部材及び前記島枠側連結部材を着脱自在に連結する連結手段とを備えていることを特徴とする遊技機の取付け構造。
【請求項２】
前記連結手段は、前記外枠側連結部材及び前記島枠側連結部材を締結する連結ねじ及びこの連結ねじに螺合するナットを備えたねじ締結手段であることを特徴とする請求項１記載の遊技機の取付け構造。
【請求項３】
互いに係合している前記外枠側連結部材及び前記島枠側連結部材の係合部分に、これらが前後方向に相対的に摺動するのを規制する摺動規制部を設けたことを特徴とする請求項１又は２記載の遊技機の取付け構造。
【請求項４】
請求項１乃至３の何れかに記載の遊技機の取付け構造により遊技機の外枠を遊技機島の島枠内に取付ける際に、前記島枠の上部及び下部の長手方向の所定位置に固定される少なくとも一対の前記島枠側連結部材の位置決めと、前記外枠の上部及び下部の長手方向の前記所定位置と同一位置に固定される少なくとも一対の前記外枠側連結部材の位置決めを行う際に使用する冶具であって、
前記島枠の長手方向の長さ及び前記外枠の長手方向の長さに対応した基準長さのポイントを設けている定規と、前記島枠側連結部材、或いは前記外枠側連結部材を保持することが可能な複数の保持部材と、これら保持部材を前記定規の長手方向に移動自在とするスライド部と、前記保持部材を前記所定位置に対応した位置で前記定規に固定する保持部材固定部と、を備えたことを特徴とする遊技機取付け部材の位置決め冶具。
【発明の詳細な説明】
【技術分野】
【０００１】
本発明は、遊技機島の島枠内に配置した遊技機の外枠を、所定の傾斜角度を付けた後傾姿勢となるように外枠の上部及び下部の前後方向の位置を設定して前記島枠に取付ける遊技機の取付け構造及びこの遊技機の取付け構造で使用する遊技機取付け部材の位置決め冶具に関する。
【背景技術】
【０００２】
パチンコ機は、遊技機島の島枠に固定される外枠と、この外枠に連結（ヒンジ結合）されているパチンコ機本体とで構成されており、遊技機島に配置する際には、パチンコ機本体が連結した外枠を島枠内に嵌め込み、外枠と島枠の両者に釘を打ち込むことで取り付けている（例えば、特許文献１）。
パチンコ機は、その上部が下部より奥側に位置するように、所定の角度で傾斜を付けて遊技島に配置される。そのため、取付け業者は、パチンコ機の外枠が所定の傾斜角度で傾斜するように、巻尺などの定規を使用して外枠の上部及び下部の前後位置を調整しながら島枠に取り付ける作業を行っている。
【特許文献１】特開平０８―８４８４０号公報
【発明の開示】
【発明が解決しようとする課題】
【０００３】
ところで、パチンコ機を別の遊技機島に移し替えるときには、その都度、取付け業者による外枠の上部及び下部の前後位置の調整作業が必要となるので、非常に労力がかかる作業となっているのが現状である。
そこで、本発明は上記事情に鑑みてなされたもので、遊技機を何度も別の遊技機島に移しかえても、正確かつ迅速に遊技機の外枠を島枠に取り付けることができるとともに、取付け作業負担を大幅に低減することができる遊技機の取付け構造及び遊技機取付け部材の位置決め冶具を提供することを目的としている。
【課題を解決するための手段】
【０００４】
本発明に係る請求項１記載の遊技機の取付け構造は、遊技機島の島枠内に配置した遊技機の外枠を、所定の傾斜角度を付けた後傾姿勢となるように前記外枠の上部及び下部の前後方向の位置を設定して前記島枠に取付ける遊技機の取付け構造であって、前記島枠の上部及び下部にそれぞれ固定した島枠側連結部材と、前記外枠の上部及び下部にそれぞれ固定し、前記島枠の上部及び下部の前記島枠側連結部材に前後方向に移動自在に係合している外枠側連結部材と、互いに係合している前記外枠側連結部材及び前記島枠側連結部材に設けられており、傾斜姿勢としている前記外枠の前後方向の位置に応じた傾斜角度を表示する目盛り部と、互いに係合している前記外枠側連結部材及び島枠側連結部材を着脱自在に連結する連結手段とを備えている。
【０００５】
また、請求項２記載の発明は、請求項１記載の遊技機の取付け構造において、前記連結手段を、前記外枠側連結部材及び前記島枠側連結部材を締結する連結ねじ及びこの連結ねじに螺合するナットを備えたねじ締結手段とした。
また、請求項３記載の発明は、請求項１又は２記載の遊技機の取付け構造において、互いに係合している前記外枠側連結部材及び島枠側連結部材の係合部分に、これらが前後方向に相対的に摺動するのを規制する摺動規制部を設けた。
【０００６】
一方、請求項４記載の発明は、請求項１乃至３の何れかに記載の遊技機の取付け構造により遊技機の外枠を遊技機島の島枠内に取付ける際に、前記島枠の上部及び下部の長手方向の所定位置に固定される少なくとも一対の前記島枠側連結部材の位置決めと、前記外枠の上部及び下部の長手方向の前記所定位置と同一位置に固定される少なくとも一対の前記外枠側連結部材の位置決めを行う際に使用する遊技機取付け部材の位置決め冶具であって、前記島枠の長手方向の長さ及び前記外枠の長手方向の長さに対応した基準長さのポイントを設けている定規と、前記島枠側連結部材、或いは前記外枠側連結部材を保持することが可能な複数の保持部材と、これら保持部材を前記定規の長手方向に移動自在とするスライド部と、前記保持部材を前記所定位置に対応した位置で前記定規に固定する保持部材固定部とを備えた冶具である。
【発明の効果】
【０００７】
本発明に係る遊技機の取付け構造によると、所定の外枠に取り付けている遊技機を、別の外枠に移し替える際には、連結手段の連結解除により、上部及び下部の外枠側連結部材及び島枠側連結部材の係合状態を解除することができるので、簡単に遊技機の移し替を行うことができる。また、遊技機の移し換えの際には、外枠側連結部材及び島枠側連結部材に設けた目盛り部を使用することで、簡単に遊技機の後傾姿勢を変更することが可能となり、取付け作業の負担を大幅に低減することができる。
【０００８】
また、本発明に係る遊技機取付け部材の位置決め冶具によると、島枠の上部及び下部の長手方向の所定位置に固定される少なくとも一対の島枠側連結部材の位置決めと、外枠の上部及び下部の長手方向の前記所定位置と同一位置に固定される少なくとも一対の外枠側連結部材の位置決めを、簡単且つ正確に行うことができる。そして、遊技機を別の島枠に移しかえても、上部及び下部の外枠側連結部材及び島枠側連結部材の位置ずれが発生せず、正確に連結動作を行うことができる。
【発明を実施するための最良の形態】
【０００９】
以下、本発明に係る遊技機の取付け構造の１実施形態について、図面を参照して説明する。
図１は、島台２へのパチンコ機１の取付け構造を示す分解斜視図である。
パチンコ機１は、パチンコ機本体４と、このパチンコ機本体４にヒンジ結合されているパチンコ機外枠（以下、外枠と称する）６とで構成されている。外枠６は、左右の側枠材１６，１６、底枠材１８及び天枠材２０を四角形状に枠組みした木製の枠体である。外枠６の前面の一方の側部にヒンジ部２２が固定されており、このヒンジ部２２を介してパチンコ機本体４が外枠６に開閉自在に連結されている。
【００１０】
島台２はパチンコ機１の据付台であり、この上部に長尺な上板８が水平に設置されている。この上板８の遊技者が座る側を島テーブル８ａとすると、島テーブル８ａの後ろ側に長手方向に島枠１０が枠組みされており、この島枠１０内に複数の外枠６が取り付けられている。
島枠１０は、複数の縦島枠材１２，１２が長手方向に離間して立設し、それら縦島枠材１２，１２の上端に上島枠材１４を固定した枠組み構造である。上板８、縦島枠材１２及び上島枠材１４も木製の板材である。
【００１１】
そして、図２に示すように、所定の傾斜角度α１の後傾姿勢（上部が、下部に対して奥側に位置した状態）として島枠１０内に配置された複数の外枠６は、その上部が第１上部金具３０及び第２上部金具３２を介して上島枠材１４に固定され、その下部が第１下部金具３４及び第２下部金具３６を介して底枠材１８に固定された状態で島枠１０に取付けられている。
【００１２】
１つの外枠６の上部を上島枠材１４に固定している第１上部金具３０及び第２上部金具３２は、図３に示すように、幅方向に離間した位置で２組配置されており、１つの外枠６の下部を底枠材１８に固定している第１下部金具３４及び第２下部金具３６も、幅方向に離間した位置で２組配置されている。
第１上部金具３０は、図４に示すように、板状の基部３０ａ及び係合部３０ｂが直交したＬ字状の金具であり、基部３０ａは、上島枠材１４の後方側の端面に取付けねじ３８を介して固定され、係合部３０ｂには、後述する蝶ねじ４０のねじ部４０ａが挿通する挿通孔３０ｂ１が形成され、第２上部金具３２が面接触状態で係合する面を、帯状の凹凸が連続する凹凸面３０ｂ２としている。
【００１３】
第２上部金具３２は、図５に示すように、一端側が天枠材２０の内面に取付けねじ３８を介して固定され、他端側が天枠材２０の後方に延在する板状の金具である。この第２上部金具３２には、蝶ねじ４０のねじ部４０ａを挿通する切欠き３２ａが前後方向に延在して形成されている。また、第１上部金具３０が面接触状態で係合する面を、帯状の凹凸が連続する凹凸面３２ｂとしている。
【００１４】
また、図５に示すように、第１上部金具３０の凹凸面３０ｂ２上に傾斜角度の基準印Ｐが設けられているとともに、第２上部金具３２の前記基準ポイントＰに対応する位置に、前記傾斜角度α１の印と、この傾斜角度α１より大きな傾斜角度α２の印を付けた目盛り４４が設けられている。本実施形態では、傾斜角度α１の後傾姿勢で外枠６が配置されているので、基準ポイントＰに目盛り４４の傾斜角度α１が対応している。
【００１５】
そして、第１上部金具３０の上面から突出した蝶ねじ４０のねじ部４０ａにナット４２が螺合しており、ナット４２に対して蝶ねじ４０を締め込むことで係合部３０ｂ及び第２上部金具３２が締結され、傾斜角度α１の後傾姿勢で島枠１０内に配置した外枠６の上部が、第１上部金具３０及び第２上部金具３２を介して上島枠材１４に固定される。
【００１６】
一方、第１下部金具３４は、図６及び図７に示すように、島枠１０を構成する上板８上に配置されており、互いに離間して上板８上に設置した一対の基部３４ａと、これら基部３４ａから立設している立上がり部３４ｂを介して設けられ、外枠６の底枠材１８と同一高さで上板８と平行に延在している係合部３４ｃとを備え、係合部３４ｃには、蝶ねじ５０のねじ部５０ａが挿通する挿通孔３４ｃ１が形成され、第２下部金具３６が面接触状態で係合する係合部３４ｃの上面を、帯状の凹凸が連続する凹凸面３４ｃ２としている。そして、基部３０ａが、上板８に取付けねじ３８を介して固定されている。
【００１７】
第２下部金具３６は、第２上部金具３２と同一部材であり、一端側が底枠材１８の内面に取付けねじ３８を介して固定され、他端側が底枠材１８の後方に延在している。また、この第２下部金具３６の切欠き３６ａに、蝶ねじ５０のねじ部５０ａが挿通されている。そして、図示しないが、第１下部金具３４の係合部３４ｃと面接触状態で係合する面を凹凸面としている。
【００１８】
また、図５に示すように、第１下部金具３４の凹凸面３４ｃ２上に傾斜角度の基準印Ｐが設けられているとともに、第２下部金具３６の前記基準ポイントＰに対応する位置に、前記傾斜角度α１の印と、この傾斜角度α１より大きな傾斜角度α２の印を付けた目盛り４６が設けられている。そして、本実施形態では、傾斜角度α１の後傾姿勢で外枠６が配置されているので、基準ポイントＰに目盛り４６の傾斜角度α１が対応している。
【００１９】
そして、第１下部金具３４の係合部３４ｃの下面から突出した蝶ねじ５０のねじ部５０ａにナット４８が螺合しており、ナット４８に対して蝶ねじ５０を締め込むことで係合部３４ｃ及び第２下部金具３６が締結され、傾斜角度α１の後傾姿勢で島枠１０内に配置した外枠６の下部が、第１下部金具３４及び第２下部金具３６を介して上島枠材１４に固定されている。
【００２０】
ここで、第１上部金具３０及び第１下部金具３４が、本発明の島枠側連結部材に相当し、第２上部金具３２及び第２下部金具３６が、本発明の外枠側連結部材に相当し、第１上部金具３０に設けた基準印Ｐと第２上部金具３２に設けた目盛り４４が、本発明の目盛り部に相当し、第１下部金具３４に設けた基準印Ｐと第２下部金具３６に設けた目盛り４６が本発明の目盛り部に相当し、蝶ねじ４０及びナット４２と蝶ねじ５０及びナット４８が、本発明のねじ締結手段に相当し、第１上部金具３０の係合部３０ｂに設けた凹凸面３０ｂ２及び第２上部金具３２の凹凸面３２ｂが本発明の摺動規制部に相当し、第１下部金具３４の係合部３４ｃに設けた凹凸面３４ｃ２及び第２下部金具３６に設けた凹凸面（図示せず）が本発明の摺動規制部に相当する。
【００２１】
本実施形態の構造によると、所定の外枠６に取り付けているパチンコ機１を、別の外枠６に移し替える場合には、第１上部金具３０及び第２上部金具３２を連結している蝶ねじ４０を緩め、第１下部金具３４及び第２下部金具３６を連結している蝶ねじ５０を緩めることでパチンコ機１を取り外し、別の外枠６に既に固定されている第１上部金具３０及び第１下部金具３０に、取り外したパチンコ機１の外枠６に固定されている第２上部金具３２及び第２下部金具３６を係合して蝶ねじ４０，５０により連結することで、簡単にパチンコ機１の移し替を行うことができる。
【００２２】
また、移し換えの際には、第１上部金具３０及び第２上部金具３２に設けた基準印Ｐ及び目盛り４４を所定の傾斜角度α１に合わせ、第１下部金具３４及び第２下部金具３６に設けた基準印Ｐ及び目盛り４６を所定の傾斜角度α１に合わせるだけで、簡単にパチンコ機１を島枠１０内に後傾姿勢で取り付けることができる。このため、取付け業者による高度な作業を不要として正確かつ迅速にパチンコ機１を島枠１０に取り付けることができ、取付け作業の負担を大幅に低減することができる。
【００２３】
また、パチンコ機１の後傾姿勢の変更は、蝶ねじ４０，５０を緩めて、第１上部金具３０及び第２上部金具３２に設けた基準印Ｐ及び目盛り４４を変更する傾斜角度（例えばα２）に合わせ、且つ第１下部金具３４及び第２下部金具３６に設けた基準印Ｐ及び目盛り４６を変更する傾斜角度（例えばα２）に合わせ、再度、蝶ねじ４０，５０をねじ込むだけで完了する。このように、パチンコ機１の後傾姿勢の変更も容易に行うことができる。
【００２４】
また、第１上部金具３０及び第２上部金具３２は、凹凸面３０ｂ２及び凹凸面３２ｂが当接した状態で連結し、第１下部金具３４及び第２下部金具も、凹凸面３４ｃ２及び第２下部金具３６の図示しない凹凸面が当接した状態で連結しているので、振動等による前後方向の移動が確実に防止される。島枠１０に配置したパチンコ機１のガタ付きを防止することができる。
【００２５】
次に、図８及び図９に示すものは、上板８上への一対の第１下部金具３４の位置決め、底枠材１８への一対の第２下部金具３６の位置決め、上島枠材１４への一対の第１上部金具３０の位置決め、及び天枠材２０への一対の第２上部金具３２の位置決めに使用する位置決め冶具５０である。
この位置決め冶具５０は、定規５２と、この定規５２の長手方向に離間した位置に設けた２つのスリット５４と、これらスリット５４内に入り込むスライド部材５６を一体に設けた一対の保持部材５８と、これら保持部材５８を定規５２に固定する固定ねじ６０とを備えている。
【００２６】
定規５２には、図３に示す縦島枠材１２，１２の間の長さＬ１に対応した基準長さのポイント（図８で示す２つの★印のポイントの間の長さ）が設けられている。なお、図８の▲印のポイントの間の長さは、底枠材１８、或いは天枠材２０の長手方向の長さに対応した基準長さである。
なお、本実施形態のスリット５４及びスライド部５６が本発明のスライド部に相当し、固定ねじ６０が本発明の保持部材固定部に相当する。
【００２７】
本実施形態の位置決め冶具５０を使用して上板８に一対の第１下部金具３４の位置決めを行うには、先ず、スリット５４内にスライド部材５６が入り込んでいることで定規５２の長手方向に移動自在な一対の保持部材５８の位置をする。一対の保持部材５８の位置が決定したら、固定ねじ６０の締め込みにより一対の保持部材５８を定規５２に固定する。次に、一対の保持部材５６を、第１下部金具３４の立ち上がり部３４ｂ及び係合部３４ｃの間に係合して保持する。次に、定規５２の★印の基準長さのポイントを、縦島枠材１２，１２の端部に合わせながら上板８上に一対の第１下部金具３４を載せる。これにより、位置決め冶具５０による一対の第１下部金具３４の位置決めが完了する。位置決めが完了した一対の第１下部金具３４を、取付けねじ３８により基部３０ａを上板８に固定する。
【００２８】
また、底枠材１８に一対の第２下部金具３６の位置決めを行うには、定規５２に固定されている一対の保持部材５８の上面５８ａに第２下部金具３６を載置する。次に、定規５２の▲印の基準長さのポイントを、底枠材１８の両端部に合わせながら底枠材１８上に一対の第２下部金具３６を載せる。これにより、位置決め冶具５０による一対の第２下部金具３６の位置決めが完了する。位置決めが完了した一対の第２下部金具３６を、取付けねじ３８により底枠材１８の上面に固定する。
【００２９】
このように、本実施形態の位置決め冶具５０を使用することで、第１及び第２下部金具３４，３６の位置合わせを簡単に、且つ正確に行うことができる。
また、本実施形態の位置決め冶具５０を使用した上板８に対する一対の第１下部金具３４の位置決め、底枠材１８に対する一対の第２下部金具３６の位置決めと略同様の手順で、上島枠材１４の対する一対の第１上部金具３０の位置決め、及び天枠材２０に対する一対の第２上部金具３２の位置決めも簡単に、且つ正確に行うことができる。
【００３０】
そして、他の島枠１０及び外枠６にも同様の手順で、第１及び第２下部金具３４，３６の位置合わせ、第１及び第２上部金具３０，３２の位置合わせを行うことにより、遊技機１を別の島枠１０に移しかえても、第１及び第２下部金具３４，３６の位置ずれ、第１及び第２上部金具３０，３２の位置ずれが発生せず、正確に連結動作を行うことができる。
なお、第１上部金具３０及び第２上部金具３２の連結構造は、図２で示した構造に限らず、例えば、上島枠材１４と天枠材２０の奥行き寸法が略同一である場合には図１０（ａ）に示すような連結構造、上島枠材１４の奥行き寸法が天枠材２０の奥行き寸法より大幅に大きい場合には、図１０（ｂ）に示すように、第１上部金具３０を図２に対して逆向きに上島枠材１４に固定してもよい。
【図面の簡単な説明】
【００３１】
【図１】遊技機を遊技機島に取付ける構造を示す分解斜視図である。
【図２】遊技機の外枠を遊技機島の島枠内に傾斜を付けて取り付けた状態を示す縦断面図である。
【図３】遊技機の外枠を島枠内から示した図である。
【図４】本発明に係る外枠の上部と島枠の上部とを連結している外枠側連結部材及び島枠側連結部材の構造を示す図である。
【図５】図４で示した構造を下面側から示した図である。
【図６】本発明に係る外枠の下部と島枠の下部とを連結している外枠側連結部材及び島枠側連結部材の構造を示す図である。
【図７】図６で示した構造を島枠内から示した図である。
【図８】本発明に係る遊技機取付け部材の位置決め冶具の構造を示す図である。
【図９】図８で示した位置決め冶具の保持部材固定部の構造を示す図である。
【図１０】本発明に係る外枠の上部と島枠の上部とを連結している外枠側連結部材及び島枠側連結部材の他の構造を示す図である。
【符号の説明】
【００３２】
１  パチンコ機（遊技機）
４  パチンコ機本体
６  外枠
８  上板
１０  島枠
３０  第１上部金具（島枠側連結部材）
３０ｂ２，３２ｂ，３４ｃ  凹凸面（摺動規制部）
３２  第２上部金具（外枠側連結部材）
３４  第１下部金具（島枠側連結部材）
３６  第２下部金具（外枠側連結部材）
４０，５０  蝶ねじ
４２，４８  ナット
４４，４６  目盛り
５０  位置決め冶具
５２  定規
５４  スリット
５６  スライド部材
６０  固定ねじ（保持部材固定部）
α１，α２  傾斜角度
【図１】
2006149655.tif 000003
【図２】
2006149655.tif 000004
【図３】
2006149655.tif 000005
【図４】
2006149655.tif 000006
【図５】
2006149655.tif 000007
【図６】
2006149655.tif 000008
【図７】
2006149655.tif 000009
【図８】
2006149655.tif 000010
【図９】
2006149655.tif 000011
【図１０】
2006149655.tif 000012